【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
可変表示を行い、表示結果として予め定められた特定表示結果が導出されたときに、遊技媒体が入賞しやすい開状態と入賞しないまたは入賞しにくい閉状態とに変化する特別可変入賞装置を開状態とする複数のラウンドから構成される特定遊技状態に制御可能な遊技機であって、
遊技の進行を制御する遊技制御手段と、
前記遊技制御手段からのコマンドにもとづいて演出の実行を制御する演出制御手段と、を備え、
前記遊技制御手段は、
遊技機への電力供給が停止しても所定期間は記憶内容を保持可能なバックアップ記憶手段と、
特定状態として有利度が異なる複数種類のいずれかの特定状態に制御する状態制御手段と、
遊技機への電力供給が停止した後、遊技機への電力供給が開始されたときに、前記バックアップ記憶手段が記憶する記憶内容にもとづいて復旧時コマンドを前記演出制御手段に出力する復旧時コマンド出力手段と、を含み、
前記演出制御手段は、遊技機への電力供給が停止した後、遊技機への電力供給が開始されたときに、前記復旧時コマンドにもとづいて復旧時の演出を実行する復旧時演出実行手段を含み、
前記復旧時コマンド出力手段は、特定遊技状態中に遊技機への電力供給が停止した後、遊技機への電力供給が開始されたときに、前記復旧時コマンドとして、遊技機への電力供給が停止したときの特定遊技状態の種類を特定可能なコマンドを出力し、
前記復旧時演出実行手段は、前記復旧時コマンドから特定される特定遊技状態の種類にもとづいて異なる復旧時の演出を実行し、
前記演出制御手段は、特定遊技状態におけるラウンド中に、いずれの種類の特定状態に制御されるかを報知する報知演出を実行する特定状態報知手段と、前記復旧時コマンドにもとづいて特定遊技状態中の報知演出が実行された後のラウンドであることを特定した場合には、特定状態の有利度に応じた特定演出を実行する特定演出実行手段とを含み、
前記復旧時コマンド出力手段は、特定遊技状態中に遊技機への電力供給が停止した後、遊技機への電力供給が開始されたときに、前記復旧時コマンドとして、遊技機への電力供給が停止したときのラウンドと、特定遊技状態のいずれのラウンドにおいて前記報知演出を実行するかとを特定可能な特定情報を含むコマンドを出力し、
前記復旧時演出実行手段は、前記復旧時コマンドに含まれる前記特定情報にもとづいて復旧時の演出を実行する、
ことを特徴とする遊技機。
【手続補正２】
【補正対象書類名】明細書
【補正対象項目名】０００１
【補正方法】変更
【補正の内容】
【０００１】
本発明は、可変表示を行い、表示結果として予め定められた特定表示結果が導出されたときに、遊技媒体が入賞しやすい開状態と入賞しないまたは入賞しにくい閉状態とに変化する特別可変入賞装置を開状態とする複数のラウンドから構成される特定遊技状態に制御可能な遊技機に関する。
【手続補正３】
【補正対象書類名】明細書
【補正対象項目名】０００９
【補正方法】変更
【補正の内容】
【０００９】
前記課題を解決するために、本発明の請求項１に記載の遊技機は、
可変表示を行い、表示結果として予め定められた特定表示結果（大当り図柄）が導出されたときに、遊技媒体が入賞しやすい開状態と入賞しないまたは入賞しにくい閉状態とに変化する特別可変入賞装置（例えば、特別可変入賞球装置２０）を開状態とする複数のラウンドから構成される（例えば、通常大当り、確変大当りＡ〜Ｆ、突然確変大当りのいずれについても、図９〜図１２に示すように、１６ラウンドで構成される）特定遊技状態（大当り遊技状態）に制御可能な遊技機（パチンコ遊技機１）であって、
遊技の進行を制御する遊技制御手段（例えば、遊技制御用マイクロコンピュータ５６０）と、
前記遊技制御手段からのコマンドにもとづいて演出の実行を制御する演出制御手段（例えば、演出制御用マイクロコンピュータ１００）と、を備え、
前記遊技制御手段は、
遊技機への電力供給が停止しても所定期間は記憶内容を保持可能なバックアップ記憶手段（例えば、バックアップＲＡＭであるＲＡＭ５５）と、
特定状態（例えば、大入賞口の開放時間が３０秒と長く遊技球の入賞が期待できるラウンドが継続すること（見た目上のラウンドが継続すること）や、大当り遊技終了後に確変状態に制御されること）として有利度が異なる複数種類のいずれかの特定状態に制御する状態制御手段（例えば、遊技制御用マイクロコンピュータ５６０において、ステップＳ１４０５で開放時間タイマに３０秒をセットしてステップＳ１４０６，Ｓ１４５４〜Ｓ１４５６を実行する部分や、ステップＳ１６７を実行する部分）と、
遊技機への電力供給が停止した後、遊技機への電力供給が開始されたときに、前記バックアップ記憶手段が記憶する記憶内容にもとづいて復旧時コマンド（例えば、停電復旧指定コマンド）を前記演出制御手段に出力する復旧時コマンド出力手段（例えば、遊技制御用マイクロコンピュータ５６０におけるステップＳ４３，Ｓ４４を実行する部分）と、を含み、
前記演出制御手段は、遊技機への電力供給が停止した後、遊技機への電力供給が開始されたときに、前記復旧時コマンドにもとづいて復旧時の演出（例えば、停電発生時に大当り遊技中であった場合にはラウンド中演出やラウンド後演出）を実行する復旧時演出実行手段（例えば、演出制御用マイクロコンピュータ１００におけるステップＳ６４０１〜Ｓ６６４を実行する部分）を含み、
前記復旧時コマンド出力手段は、特定遊技状態中に遊技機への電力供給が停止した後、遊技機への電力供給が開始されたときに、前記復旧時コマンドとして、遊技機への電力供給が停止したときの特定遊技状態の種類を特定可能なコマンドを出力し（例えば、遊技制御用マイクロコンピュータ５６０が、停電発生時に大当り遊技のラウンド中であった場合に、大当り種別と停電発生時のラウンドとを含む停電復旧１指定コマンド〜停電復旧７指定コマンドを送信し）、
前記復旧時演出実行手段は、前記復旧時コマンドから特定される特定遊技状態の種類にもとづいて異なる復旧時の演出を実行し（例えば、演出制御用ＣＰＵ１０１は、ステップＳ３９１１，Ｓ３９１６，Ｓ３９１９，Ｓ３９２２，Ｓ３９２７，Ｓ３９３０，Ｓ３９３３，Ｓ３９３５，Ｓ３９３７において、停電復旧指定コマンドで特定される大当り種別および停電発生時のラウンドにもとづいて、継続示唆演出や、継続成功演出、継続失敗演出、確変示唆演出、確変成功演出、確変失敗演出、継続失敗確定演出、復活演出、継続確定演出であったか否かを特定して、ステップＳ３９１２，Ｓ３９１３，Ｓ３９１５，Ｓ３９１７，Ｓ３９２０，Ｓ３９２３，Ｓ３９２４，Ｓ３９２６，Ｓ３９２８，Ｓ３９３１，Ｓ３９３４，Ｓ３９３６，Ｓ３９３８の後にＳ２９０３を実行する）、
前記演出制御手段は、特定遊技状態におけるラウンド中に、いずれの種類の特定状態に制御されるかを報知する報知演出（例えば、継続示唆演出、継続成功演出、継続失敗演出、確変示唆演出、確変成功演出、確変失敗演出、継続失敗確定演出、復活演出、継続確定演出）を実行する特定状態報知手段（例えば、演出制御用マイクロコンピュータ１００において、ステップＳ３９１２，Ｓ３９１３，Ｓ３９１５，Ｓ３９１７，Ｓ３９２０，Ｓ３９２３，Ｓ３９２４，Ｓ３９２６，Ｓ３９２８，Ｓ３９３１，Ｓ３９３４，Ｓ３９３６，Ｓ３９３８の後にＳ２９０３を実行する部分）と、前記復旧時コマンドにもとづいて特定遊技状態中の報知演出が実行された後のラウンドであることを特定した場合には、特定状態の有利度に応じた特定演出を実行する特定演出実行手段とを含み、
前記復旧時コマンド出力手段は、特定遊技状態中に遊技機への電力供給が停止した後、遊技機への電力供給が開始されたときに、前記復旧時コマンドとして、遊技機への電力供給が停止したときのラウンドと、特定遊技状態のいずれのラウンドにおいて前記報知演出を実行するかとを特定可能な特定情報を含むコマンドを出力し（例えば、遊技制御用マイクロコンピュータ５６０が、停電発生時に大当り遊技のラウンド中であった場合に、大当り種別と停電発生時のラウンドとを含む停電復旧１指定コマンド〜停電復旧７指定コマンドを送信し）、
前記復旧時演出実行手段は、前記復旧時コマンドに含まれる前記特定情報にもとづいて復旧時の演出を実行する（例えば、演出制御用ＣＰＵ１０１は、ステップＳ３９１１，Ｓ３９１６，Ｓ３９１９，Ｓ３９２２，Ｓ３９２７，Ｓ３９３０，Ｓ３９３３，Ｓ３９３５，Ｓ３９３７において、停電復旧指定コマンドで特定される大当り種別および停電発生時のラウンドにもとづいて、継続示唆演出や、継続成功演出、継続失敗演出、確変示唆演出、確変成功演出、確変失敗演出、継続失敗確定演出、復活演出、継続確定演出であったか否かを特定して、ステップＳ３９１２，Ｓ３９１３，Ｓ３９１５，Ｓ３９１７，Ｓ３９２０，Ｓ３９２３，Ｓ３９２４，Ｓ３９２６，Ｓ３９２８，Ｓ３９３１，Ｓ３９３４，Ｓ３９３６，Ｓ３９３８の後にＳ２９０３を実行する）、
ことを特徴としている。
この特徴によれば、遊技制御手段側にバックアップ記憶手段を備えるだけで、遊技機への電力供給が停止した後、遊技機への電力供給が開始された場合に適切に特定状態の報知を行うことができ、遊技者に不信感を与えることを防止することができる。また、この特徴によれば、報知演出を実行するラウンドであるかを特定情報にもとづいて特定することができるので、特定遊技状態のラウンド中に報知演出を実行する場合にあっても、これら報知演出と復旧時の演出と整合をとることが可能となるため、遊技者に不信感を与えることを防止することができる。また、電源復旧時に適切な特定状態の報知を行うことによって、遊技者に不信感を与えることを防止することができる。
【手続補正４】
【補正対象書類名】明細書
【補正対象項目名】００１４
【補正方法】削除
【補正の内容】